(57)【要約】【課題】複数の発光ダイオードが所定の角度をなして配置されるように、曲がった形態のプリント回路基板を含みながらも、曲がった部分で金属配線が損傷しないようにする、バックライトアセンブリ用光源、及びこれを含むバックライトアセンブリを提供する。【解決手段】本発明の一実施例に係るバックライトアセンブリ用光源は、第１部分、第２部分、及び前記第１部分の一側辺と前記第２部分の一側辺とを接続する接続部を含むプリント回路基板と、前記プリント回路基板の前記第１部分上に形成される第１発光部材と、前記プリント回路基板の前記第２部分上に形成される第２発光部材；前記第１発光部材と接続されて、前記第１部分上に形成される第１配線接続部材と、前記第２発光部材と接続されて、前記第２部分上に形成される第２配線接続部材とを含み、前記接続部は曲がった形態であり、前記第１配線接続部材及び前記第２配線接続部材は互いに接続される。【選択図】図３
2013073935.tif 000002
【特許請求の範囲】
【請求項１】
第１部分、第２部分、及び前記第１部分の一側辺と前記第２部分の一側辺とを接続する接続部を含むプリント回路基板と、
前記プリント回路基板の前記第１部分上に形成される第１発光部材と、
前記プリント回路基板の前記第２部分上に形成される第２発光部材と、
前記第１発光部材と接続されて、前記第１部分上に形成される第１配線接続部材と、
前記第２発光部材と接続されて、前記第２部分上に形成される第２配線接続部材とを含み、
前記接続部は曲がった形態であり、
前記第１配線接続部材と前記第２配線接続部材は互いに接続される、
バックライトアセンブリ用光源。
【請求項２】
前記第１部分は、前記第１部分の一側辺から突出した第１突出部をさらに含み、
前記第２部分は、前記第２部分の一側辺から突出した第２突出部をさらに含む、請求項１に記載のバックライトアセンブリ用光源。
【請求項３】
前記第１配線接続部材は前記第１突出部の上に形成され、前記第２配線接続部材は前記第２突出部の上に形成される、請求項２に記載のバックライトアセンブリ用光源。
【請求項４】
前記プリント回路基板は、
前記第１突出部と前記接続部の間に形成される第１空間部と、
前記第２突出部と前記接続部の間に形成される第２空間部とをさらに含む、 請求項３に記載のバックライトアセンブリ用光源。
【請求項５】
前記第１発光部材と前記第１配線接続部材を接続する第１配線と、
前記第２発光部材と前記第２配線接続部材を接続する第２配線とをさらに含む、 請求項３に記載のバックライトアセンブリ用光源。
【請求項６】
前記第２配線接続部材は、前記第２配線接続部材の一側面から突出した一つ以上の突出端子を含み、
前記第１配線接続部材は、前記第１配線接続部材の一側面に前記突出端子が嵌合する一つ以上の溝を含む、 請求項３に記載のバックライトアセンブリ用光源。
【請求項７】
少なくとも一側コーナー部が一側辺に対して斜線方向に切断された切断部を含む導光板と、
前記導光板の一側辺及び前記導光板の切断部と対向するように配置する光源とを含み、
前記光源は、
第１部分、第２部分、及び前記第１部分の一側辺と前記第２部分の一側辺とを接続する接続部を含むプリント回路基板と、
前記プリント回路基板の前記第１部分上に形成される第１発光部材と、
前記プリント回路基板の前記第２部分上に形成される第２発光部材と、
前記第１発光部材と接続されて、前記第１部分上に形成される第１配線接続部材と、
前記第２発光部材と接続されて、前記第２部分上に形成される第２配線接続部材とを含み、
前記プリント回路基板の第１部分は前記導光板の一側辺と対向するように配置され、
前記プリント回路基板の第２部分は前記導光板の切断部と対向するように配置され、
前記接続部は曲がった形態であり、
前記第１配線接続部材と前記第２配線接続部材は互いに接続される、バックライトアセンブリ。
【請求項８】
前記第１部分は、前記第１部分の一側辺から突出した第１突出部をさらに含み、
前記第２部分は、前記第２部分の一側辺から突出した第２突出部をさらに含む、請求項７に記載のバックライトアセンブリ。
【請求項９】
前記第１配線接続部材は前記第１突出部の上に形成され、
前記第２配線接続部材は前記第２突出部の上に形成される、請求項８に記載のバックライトアセンブリ。
【請求項１０】
前記プリント回路基板は、
前記第１突出部と前記接続部の間に形成される第１空間部と、
前記第２突出部と前記接続部の間に形成される第２空間部とをさらに含む、請求項９に記載のバックライトアセンブリ。
【発明の詳細な説明】
【技術分野】
【０００１】
本発明は、バックライトアセンブリ用光源、及びこれを含むバックライトアセンブリに関し、より詳しくは、複数の発光ダイオードが所定の角度をなして配置されるように曲がった形態のプリント回路基板を含みながらも、曲がった部分で金属配線が損傷しないようにする、バックライトアセンブリ用光源、及びこれを含むバックライトアセンブリに関する。
【背景技術】
【０００２】
現在幅広く利用されるコンピュータモニタ、テレビ、携帯電話機などには表示装置が必要である。表示装置としては、陰極線管表示装置、液晶表示装置、及びプラズマ表示装置などがある。
【０００３】
液晶表示装置は、現在最も幅広く使用されているフラットパネル表示装置のうちの一つであって、画素電極と、共通電極などの電場生成電極が形成されている二枚の表示板と、その間に挟持されている液晶層とからなり、電界生成電極に電圧を印加して液晶層に電界を与え、これによって液晶層の液晶分子の配向を決定し、入射光の偏光を制御することによって映像を表示する。
【０００４】
このような液晶表示装置は、自ら発光できないので、光源を必要とする。光源は別途設けられた人工光源または自然光源を利用することができる。人工光源の場合、発生した光が表示板の全体に均一な輝度をもって達するようにする導光板（ＬＧＰ、Ｌｉｇｈｔ  Ｇｕｉｄｅ  Ｐｌａｔｅ）を必要とする。
【０００５】
液晶表示装置に使用される人工光源としては、発光ダイオード（ＬＥＤ：Ｌｉｇｈｔ  Ｅｍｉｔｔｉｎｇ  Ｄｉｏｄｅ）、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）、外部電極蛍光ランプ（ＥＥＦＬ：ＥｘｔｅｒｎａｌＥｌｅｃｔｒｏｄｅ  Ｆｌｕｏｒｅｓｃｅｎｔ）などがある。
【０００６】
これらの中で、発光ダイオードは寿命が長く、サイズが小さく、かつ電力消費が小さいなど、他の光源と比べて長所が多く、最近、広く使用されている。このような発光ダイオードをプリント回路基板（ＰＣＢ、Ｐｒｉｎｔｅｄ  Ｃｉｒｃｕｉｔ  Ｂｏａｒｄ）の上に複数に配置して光源として使用する場合、その様々な配置方法が設計されている。
【０００７】
複数の発光ダイオードの発光面が所定の角度をなすように配置するためには、プリント回路基板を別に形成して、所定の角度をなすように配置する。しかし、プリント回路基板の個数が多くなるほど構成がさらに複雑になり、かつ費用がさらに上昇するという問題点がある。
【０００８】
そのため、プリント回路基板を曲げて形成する方法が提案されている。しかし、プリント回路基板の曲げられた部分に形成された金属配線が損傷するなどの問題点がある。
【発明の概要】
【発明が解決しようとする課題】
【０００９】
そこで、本発明は上記の問題点に鑑みてなされたものであって、本発明の目的は、複数の発光ダイオードが所定の角度をなして配置されるように、曲がった形態のプリント回路基板を含むバックライトアセンブリ用光源、及びこれを含むバックライトアセンブリを提供することにある。
【００１０】
また、本発明の他の目的は、プリント回路基板の曲がった部分で金属配線が損傷しないようにするバックライトアセンブリ用光源、及びこれを含むバックライトアセンブリを提供することにある。
【課題を解決するための手段】
【００１１】
このような目的を達成するために、本発明の一実施例に係るバックライトアセンブリ用光源は、第１部分、第２部分、及び前記第１部分の一側辺と前記第２部分の一側辺を接続する接続部を含むプリント回路基板と、前記プリント回路基板の前記第１部分上に形成される第１発光部材と、前記プリント回路基板の前記第２部分上に形成される第２発光部材と、前記第１発光部材と接続されて、前記第１部分上に形成される第１配線接続部材と、前記第２発光部材と接続されて、前記第２部分上に形成される第２配線接続部材とを含み、前記接続部は曲がった形態であり、前記第１配線接続部材と前記第２配線接続部材は互いに接続される。
【００１２】
前記第１部分は、前記第１部分の一側辺から突出した第１突出部をさらに含み、前記第２部分は、前記第２部分の一側辺から突出した第２突出部をさらに含むことができる。
【００１３】
前記第１配線接続部材は前記第１突出部の上に形成し、前記第２配線接続部材は前記第２突出部の上に形成することができる。
【００１４】
前記プリント回路基板は、前記第１突出部と前記接続部の間に形成される第１空間部と、前記第２突出部と前記接続部の間に形成される第２空間部とをさらに含むことができる。
【００１５】
本発明の一実施例に係るバックライトアセンブリ用光源は、前記第１発光部材と前記第１配線接続部材を接続する第１配線と、前記第２発光部材と前記第２配線接続部材を接続する第２配線とをさらに含むことができる。
【００１６】
前記第２配線接続部材は、前記第２配線接続部材の一側面から突出した一つ以上の突出端子を含み、前記第１配線接続部材は、前記第１配線接続部材の一側面に前記突出端子が嵌合する一つ以上の溝を含むことができる。
【００１７】
このような目的を達成するために、本発明の一実施例に係るバックライトアセンブリは、少なくとも一側コーナー部が一側辺に対して斜線方向に切断された切断部を含む導光板と、前記導光板の一側辺及び前記導光板の切断部と対向するように配置される光源とを含み、前記光源は、第１部分、第２部分、及び前記第１部分の一側辺と前記第２部分の一側辺を接続する接続部を含むプリント回路基板；前記プリント回路基板の前記第１部分上に形成される第１発光部材と、前記プリント回路基板の前記第２部分上に形成される第２発光部材と、前記第１発光部材と接続されて、前記第１部分上に形成される第１配線接続部材と、前記第２発光部材と接続されて、前記第２部分上に形成される第２配線接続部材とを含み、前記プリント回路基板の第１部分は前記導光板の一側辺と対向するように配置され、前記プリント回路基板の第２部分は前記導光板の切断部と対向するように配置され、前記接続部は曲がった形態であり、前記第１配線接続部材と前記第２配線接続部材は互いに接続される。
【００１８】
前記第１部分は、前記第１部分の一側辺から突出した第１突出部をさらに含み、前記第２部分は、前記第２部分の一側辺から突出した第２突出部をさらに含むことができる。
【００１９】
前記第１配線接続部材は前記第１突出部の上に形成し、前記第２配線接続部材は前記第２突出部の上に形成することができる。
【００２０】
前記プリント回路基板は、前記第１突出部と前記接続部の間に形成される第１空間部と、前記第２突出部と前記接続部の間に形成される第２空間部とをさらに含むことができる。
【発明の効果】
【００２１】
本発明の一実施例に係るバックライトアセンブリ用光源、及びこれを含むバックライトアセンブリは、次のような効果がある。
【００２２】
本発明は、プリント回路基板の第１部分と第２部分を接続する接続部を曲がった形態に形成し、第１部分に第１発光部材を形成し、第２部分に第２発光部材を形成することによって、第１発光部材と第２発光部材とが所定の角度をなすように配置することができる。
【００２３】
また、本発明は、接続部とは別に、第１発光部材と接続される第１配線接続部材及び第２発光部材と接続される第２配線接続部材を形成して、これらを互いに接続することによって、プリント回路基板を曲がった形態に形成しながらも、金属配線の損傷を防止することができる。
【図面の簡単な説明】
【００２４】
【図１】本発明の第１実施例に係るバックライトアセンブリ用光源の斜視図である。
【図２】本発明の第１実施例に係るバックライトアセンブリ用光源の斜視図である。
【図３】図２のＡ部分を拡大して示した本発明の第１実施例に係るバックライトアセンブリ用光源の拡大斜視図である。
【図４】本発明の第２実施例に係るバックライトアセンブリ用光源の斜視図である。
【図５】本発明の第２実施例に係るバックライトアセンブリ用光源の斜視図である。
【図６】図５のＢ部分を拡大して示した本発明の第２実施例に係るバックライトアセンブリ用光源の拡大斜視図である。
【図７】本発明の第３実施例に係るバックライトアセンブリ用光源の斜視図である。
【図８】本発明の第３実施例に係るバックライトアセンブリ用光源の斜視図である。
【図９】図８のＣ部分を拡大して示した本発明の第３実施例に係るバックライトアセンブリ用光源の拡大斜視図である。
【図１０】本発明の一実施例に係るバックライトアセンブリを示す平面図である。
【図１１】本発明の一実施例に係るバックライトアセンブリを含む液晶表示装置を示す分解斜視図である。
【発明を実施するための形態】
【００２５】
以下、添付の図面を参照して、本発明の実施例について本発明が属する技術分野における通常の知識を有する者が容易に実施できるように詳細に説明する。しかし、本発明は種々の異なる形態で実施することができ、ここで説明する実施例に限定されない。
【００２６】
図面において、種々の層及び領域を明確に表現するために厚さを拡大して示している。明細書全体にわたって類似する部分に対しては同一の図面符号を付けている。層、膜、領域、板などの部分が他の部分の「上に」あるというとき、これは他の部分の「すぐ上に」ある場合だけでなく、その中間に他の部分を含む場合も含む。一方、ある部分が他の部分の「すぐ上に」あるというときには、中間に他の部分を含まないことを意味する。
【００２７】
最初に、添付した図面を参照して、本発明の第１実施例に係るバックライトアセンブリ用光源について説明する。
【００２８】
図１及び図２は、本発明の第１実施例に係るバックライトアセンブリ用光源の斜視図であり、図３は、図２のＡ部分を拡大して示した本発明の第１実施例に係るバックライトアセンブリ用光源の拡大斜視図である。図１は、接続部を曲げる前の形状を示し、図２及び図３は接続部を曲がった後の形状を示している。
【００２９】
本発明の第１実施例に係るバックライトアセンブリ用光源は、曲がった形態のプリント回路基板５２２、及びプリント回路基板５２２の上に形成される第１発光部材５３２と第２発光部材５３４を含む。
【００３０】
プリント回路基板５２２は、第１部分５６２、第２部分５６４、及び第１部分５６２の一側辺と第２部分５６４の一側辺とを接続する接続部５６６を含む。
【００３１】
プリント回路基板５２２の第１部分５６２と第２部分５６４とは、平らな板状に形成されている。
【００３２】
接続部５６６は曲がった形態をしている。接続部５６６の曲がった角度を調節することによって、第１部分５６２と第２部分５６４とがなす角度を調節することができる。この時、接続部５６６の曲がった角度、つまり、第１部分５６２と第２部分５６４とがなす角度は、鈍角となるように形成するのが好ましい。より好ましくは、第１部分５６２と第２部分５６４とがなす角度を、１００度以上で１５０度以下に形成することができる。接続部５６６は、第１部分５６２の一側辺の一部分と第２部分５６４の一部分を接続している。
【００３３】
第１部分５６２は、第１部分５６２の一側辺から突出した第１突出部５７２をさらに含み、第２部分５６４は、第２部分５６４の一側辺から突出した第２突出部５７４をさらに含むことができる。
【００３４】
第１部分５６２の一側辺に形成された接続部５６６と第１突出部５７２との間には、第１空間５７６が形成され、第２部分５６４の一側辺に形成された接続部５６６と第２突出部５７４との間には、第２空間５７８が形成される。
【００３５】
第１発光部材５３２は第１部分５６２の上に形成され、第２発光部材５３４は第２部分５６４の上に形成される。第１発光部材５３２及び第２発光部材５３４は複数で形成され得る。第１発光部材５３２及び第２発光部材５３４には多様な発光手段を用いることができ、例えば、発光ダイオード（ＬＥＤ、Ｌｉｇｈｔ  Ｅｍｉｔｔｉｎｇ  Ｄｉｏｄｅ）を用いることができる。第１発光部材５３２と第２発光部材５３４との合計に対する第２発光部材５３４の比率は、１０％以上であるのが好ましい。
【００３６】
プリント回路基板５２２の第１部分５６２の上には、第１発光部材５３２と接続される第１配線接続部材５８２とが形成されている。このとき、第１配線接続部材５８２は第１突出部５７２の上に形成することができる。
【００３７】
プリント回路基板５２２の第２部分５６４の上には、第２発光部材５３４と接続される第２配線接続部材５８４とが形成されている。このとき、第２配線接続部材５８４は第２突出部５７４の上に形成することができる。
【００３８】
第２配線接続部材５８４は、第２配線接続部材５８４の一側面から突出した一つ以上の突出端子５８６を含むようにしてもよい。第１配線接続部材５８２は、第１配線接続部材５８２の一側面に突出端子５８６が嵌合する一つ以上の溝５８７を含むようにしてもよい。
【００３９】
図１を参照すれば、突出端子５８６は第１部分５６２に向かう第２配線接続部材５８４の側面から突出するように形成され、溝５８７は第１配線接続部材５８２の上部面に形成することができる。図２及び図３を参照すれば、接続部５６６が曲がった状態で、突出端子５８６と溝（図１の５８８）はそれぞれ第１配線接続部材５８２及び第２配線接続部材５８４が互いに対向する面に形成することができる。
【００４０】
接続部５６６が曲がることによって突出端子５８６が溝５８７に嵌合し、そのために第１配線接続部材５８２と第２配線接続部材５８４とが電気的に接続される。第１配線接続部材５８２と第２配線接続部材５８４が接続されることによって、第１発光部材５３２と第２発光部材５３４とが互いに接続される。
【００４１】
もし、第１発光部材５３２と第２発光部材５３４とを接続する金属配線がプリント回路基板５２２の接続部５６６の上に形成されていれば、接続部５６６を曲げることによって金属配線が損傷してしまう可能性がある。本実施例では、第１発光部材５３２と第２発光部材５３４を接続する第１配線接続部材５８２と第２配線接続部材５８４とが、曲がった形態の接続部５６６と分離されるように形成されて、このような損傷が発生しない。
【００４２】
図面においては、突出端子５８６が２つ形成され、溝５８７が２つ形成されたことが示されているが、これに限定されず、突出端子５８６の個数は溝の個数と同一に形成するのが好ましい。
【００４３】
第１部分５６２の上には、第１発光部材５３２と第１配線接続部材５８２を接続する第１配線５９２をさらに形成するようにしてもよい。第２部分５６４の上には、第２発光部材５３４と第２配線接続部材５８４とを接続する第２配線５９４をさらに形成するようにしてもよい。
【００４４】
図では省略しているが、プリント回路基板５２２は、第１発光部材５３２及び第２発光部材５３４を駆動する駆動回路を含んでいてもよい。つまり、プリント回路基板５２２に形成されている駆動回路を利用して、第１発光部材５３２及び第２発光部材５３４のオン／オフと、明るさなどを制御することができる。
【００４５】
本発明の第１実施例では、第１配線接続部材５８２及び第２配線接続部材５８４が接続部５６６と分離するように形成されて、第１発光部材５３２と第２発光部材５３４を接続する金属配線の損傷を防止することができる。このように、第１配線接続部材５８２及び第２配線接続部材５８４が接続部５６６と分離される他の構造について、第２実施例及び第３実施例を通して説明する。
【００４６】
以下、添付した図面を参照して、本発明の第２実施例に係るバックライトアセンブリ用光源について説明する。
【００４７】
第１実施例との最も大きい差異点は、第１配線接続部材５８２と第２配線接続部材５８４とが接続される部分であり、以下、さらに詳細に説明する。
【００４８】
図４及び図５は、本発明の第２実施例に係るバックライトアセンブリ用光源の斜視図であり、図６は、図５のＢ部分を拡大して示した本発明の第２実施例に係るバックライトアセンブリ用光源の拡大斜視図である。図４は、接続部を曲げる前の形状を示し、図５及び図６は、接続部を曲げた後の形状を示している。
【００４９】
本発明の第２実施例に係るバックライトアセンブリ用光源は、図４に示すように、曲がった形態のプリント回路基板５２２と、プリント回路基板５２２の上に形成される第１発光部材５３２及び第２発光部材５３４を含むという点では、第１実施例と同じである。
【００５０】
プリント回路基板５２２の第１部分５６２の上には、第１発光部材５３２と接続される第１配線接続部材５８２とが形成されている。このとき、第１配線接続部材５８２は第１突出部５７２の上に形成するようにしてもよい。
【００５１】
プリント回路基板５２２の第２部分５６４の上には、第２発光部材５３４と接続される第２配線接続部材５８４が形成されている。この時、第２配線接続部材５８４は第２突出部５７４の上に形成するようにしてもよい。
【００５２】
本発明の第２実施例によるバックライトアセンブリ用光源は、第１配線接続部材５８２と第２配線接続部材５８４とを接続する補助接続部材５８８をさらに含んでいてもよい。補助接続部材５８８は複数に形成され得、図面には２つが形成されているがこれに限定されるわけではない。
【００５３】
補助接続部材５８８は、第１配線接続部材５８２と第２配線接続部材５８４とを電気的に接続することができ、曲げられる材質で形成するようにしてもよい。例えば、コネクタ（ｃｏｎｎｅｃｔｏｒ）、ワイヤー（ｗｉｒｅ）、及びハーネス（ｈａｒｎｅｓｓ）などで形成するようにしてもよい。
【００５４】
ハーネスとは、種々の長さを有する絶縁電線の束を指し、特定装置に直ちに配線することができるように各素線を作り、端子を付けて整理したものを指し、ワイヤリングハーネス（ｗｉｒｉｎｇ  ｈａｒｎｅｓｓ）とも呼ぶ。ハーネスは、導電部材と、導電部材とを取り囲んで被覆する絶縁材からなる被覆部材とを含む。このような導電部材と被覆部材とは複数で形成することができ、このような複数の導電部材と被覆部材とを取り囲んで一つの束に縛る部材をさらに含んでいてもよい。
【００５５】
つまり、補助接続部材５８８は、第１配線接続部材５８２と第２配線接続部材５８４とを接続するために複数で形成するようにしてもよく、このとき、それぞれ分離された複数のワイヤーで形成するようにしてもよい。このとき、複数のワイヤーが互いに絡まるなどの問題が発生する可能性があるため、複数のワイヤーを一つの束に縛るハーネスで補助接続部材５８８を形成することによって、このような問題を防止することができる。
【００５６】
補助接続部材５８８の外側面は、絶縁体によって囲むように形成して、外部から損傷を受けないようにするのが好ましい。
【００５７】
以下、添付した図面を参照して、本発明の第３実施例に係るバックライトアセンブリ用光源について説明する。
【００５８】
第１実施例との最も大きい差異点は、第１配線接続部材５８２と第２配線接続部材５８４とが接続される部分であり、以下、さらに詳細に説明する。
【００５９】
図７及び図８は、本発明の第３実施例に係るバックライトアセンブリ用光源の斜視図であり、図９は、図８のＣ部分を拡大して示した本発明の第３実施例に係るバックライトアセンブリ用光源の拡大斜視図である。図７は、接続部を曲げる前の形状を示し、図８及び図９は、接続部を曲げた後の形状を示す。
【００６０】
本発明の第３実施例に係るバックライトアセンブリ用光源は、図７に示すように、曲がった形態のプリント回路基板５２２と、プリント回路基板５２２の上に形成される第１発光部材５３２及び第２発光部材５３４とを含むという点では、第１実施例と同様である。
【００６１】
プリント回路基板５２２の第１部分５６２の上には第１発光部材５３２と接続される第１配線接続部材５８２とが形成されている。このとき、第１配線接続部材５８２は第１突出部５７２の上に付着するように形成するようにしてもよい。
【００６２】
プリント回路基板５２２の第２部分５６４の上には第２発光部材５３４と接続される第２配線接続部材５８４とが形成されている。このとき、第２配線接続部材５８４は、第２突出部５７４の上に付着するように形成するようにしてもよい。
【００６３】
第１配線接続部材５８２と第２配線接続部材５８４とは一体型に形成される。一体型になった第１配線接続部材５８２及び第２配線接続部材５８４は、第１発光部材５３２と第２発光部材５３４とを電気的に接続することができ、曲げられる材質からなる。また、第１配線接続部材５８２及び第２配線接続部材５８４は平らな平面形状に形成するようにしてもよい。例えば、フレキシブルフラットケーブル（ＦＦＣ、Ｆｌｅｘｉｂｌｅ  Ｆｌａｔ  Ｃａｂｌｅ）などで形成するようにしてもよい。
【００６４】
第１配線接続部材５８２及び第２配線接続部材５８４の外側面は絶縁体によって囲むように形成され、外部から損傷を受けないようにするのが好ましい。
【００６５】
以下、このようなバックライトアセンブリ用光源を含む本発明の一実施例に係るバックライトアセンブリについて説明する。
【００６６】
図１０は、本発明の一実施例に係るバックライトアセンブリを示す平面図である。
【００６７】
本発明の一実施例に係るバックライトアセンブリは、図１０に示すように、少なくとも一側コーナー部（角部）が一側辺に対して斜線方向に切断された切断部を含む導光板５１０と、導光板５１０の一側辺及び切断部と対向するように位置する光源５２０とを含む。
【００６８】
導光板５１０は長方形状に形成され、切断部は、長方形の４つのコーナー部中、一側コーナー部に形成するようにしてもよい。導光板５１０の一側辺と切断部とがなす角度は、１００度以上で１５０度以下に形成するようにしてもよい。
【００６９】
図示したように、切断部は隣接する二つのコーナー部に形成することも可能である。つまり、一側辺の両側端部に位置する二つのコーナー部に形成されている。このとき、導光板５１０は、短辺及び長辺を含む長方形状に形成することができ、切断部は短辺の両側端部に位置する二つのコーナー部に形成するのが好ましい。また、二つの切断部は互いに対称となるように形成するのが好ましい。
【００７０】
導光板５１０の下部面には複数の集光パターン５１２をさらに形成するようにしてもよい。集光パターン５１２は、導光板５１０の上部面から出る光を増加させるために、集光効率を上げる役割を果たす。
【００７１】
集光パターン５１２は、ドット形状に形成でき、互いに異なる大きさを有することができる。集光パターン５１２の大きさが大きいほど集光効率がさらに高くなる。したがって、光源５２０から光が少ない位置であるほど集光パターン５１２の大きさをさらに大きく形成する。集光パターン５１２は導光板５１０の一側辺と平行な方向に形成するようにしてもよい。このとき、導光板５１０の一側辺と最も隣接した列に位置した集光パターン５１２は、光源５２０から遠くなるほどさらに大きく形成される。位置Ａが光量が最も少ない位置で、位置Ａに位置する集光パターン５１２の大きさを最も大きく形成し、Ａ地点から遠くなるほど次第に小さく形成することによって、光を均一に分布することができる。
【００７２】
光源５２０には、上述した本発明の第１〜第３実施例に係るバックライトアセンブリ用光源５２０を用いることができる。
【００７３】
第１発光部材５３２は導光板５１０の一側辺と対向するように配置して、第２発光部材５３４は導光板５１０の切断部と対向するように位置する。プリント回路基板５２２が曲がった形態をしており、その上に形成された第１発光部材５３２と第２発光部材５３４とが所定の角度をなすように配置するようにしてもよい。
【００７４】
第１発光部材５３２は導光板５１０の一側辺に、特に切断部と隣接した地点に配置し、複数で形成するようにしてもよい。このとき、導光板５１０の一側辺の一側端部に形成された切断部と隣接して形成された第１発光部材５３２と、導光板５１０の一側辺の他側端部に形成された切断部と隣接して形成された第１発光部材５３２とは、その形状及び個数が互いに対称となるように形成するようにしてもよい。例えば、図２に示すように、導光板５１０の左側辺の上側に８個が配置され、下側に８個が配置される。導光板５１０の一側辺の中央部には第１発光部材５３２が配置されない。
【００７５】
第１発光部材５３２の発光面は導光板５１０の一側辺に接するように形成することが好ましく、これによって光の損失を減らすことができる。第１発光部材５３２から出た光は、導光板５１０の一側辺から、一側辺と対向する他側辺に至るまで均等に分布するようになる。
【００７６】
第２発光部材５３４は導光板５１０の切断部に配置される。このとき、導光板５１０の一側辺の一側端部に形成された切断部に形成された第２発光部材５３４と、導光板５１０の一側辺の他側端部に形成された切断部に形成された第２発光部材５３４とは、その形状及び個数が互いに対称となるように形成するようにしてもよい。例えば、導光板５１０の左側辺の上側端部に位置する切断部に２つが配置され、下側端部に位置する切断部に２つが配置される。
【００７７】
第２発光部材５３４の発光面は、導光板５１０の切断部の切断面に接するように形成されることが好ましく、これによって光の損失を減らすことができる。第１発光部材５３２だけが存在する場合にはＡ地点に光が達しなくなるか、第２発光部材５３４によって位置Ａにまで光が達するようになる。
【００７８】
第１発光部材５３２の発光面と第２発光部材５３４の発光面とがなす角度は１００度以上であり、１５０度以下であるのが好ましい。第１発光部材５３２から出る光と第２発光部材５３４から出る光とが前記角度を有して導光板５１０の内に入射することによって、導光板の上部面の全体に均一に光が達するようになる。
【００７９】
プリント回路基板５２２は短辺及び長辺を有し、短辺の長さは導光板５１０の切断部の長さに対応する。
【００８０】
プリント回路基板５２２の長辺には第１発光部材５３２が配置され、短辺には第２発光部材５３４が配置される。プリント回路基板５２２の曲がった角度を調節して、第１発光部材５３２の発光面と第２発光部材５３４の発光面とがなす角度を設定することができる。したがって、プリント回路基板５２２が曲がった角度は１００度以上であり、１５０度以下であるのが好ましい。
【００８１】
以下、このようなバックライトアセンブリを含む液晶表示装置について説明する。
【００８２】
図１１は、本発明の一実施例に係るバックライトアセンブリを含む液晶表示装置を示す分解斜視図である。
【００８３】
本発明の一実施例に係るバックライトアセンブリを含む液晶表示装置は、図１１に示すように、概略、光を供給するバックライトアセンブリ５００、及びバックライトアセンブリ５００から光の供給を受けて映像を表示する液晶表示パネル３００を含む。その他に、バックライトアセンブリ５００及び液晶表示パネル３００を固定するためにトップシャシー（ｔｏｐ  ｃｈａｓｓｉｓ）３１０、上部モールドフレーム（ｕｐｐｅｒ  ｍｏｌｄ  ｆｒａｍｅ）３２０、下部モールドフレーム（ｌｏｗｅｒ  ｍｏｌｄ  ｆｒａｍｅ）３３０、及びボトムシャシー（ｂｏｔｔｏｍ  ｃｈａｓｓｉｓ）３４０が結合されている。
【００８４】
バックライトアセンブリ５００は、光を供給する光源５２０、光源５２０から光の供給を受けて上部面に出射する導光板５１０、及び導光板５１０の上に配置する光学シート５４０を含む。
【００８５】
光源５２０は、光を発生させる複数の発光部材を含み、導光板５１０の側面と対向するように配置して、導光板５１０の側面に光を供給する。
【００８６】
導光板５１０は、光源５２０から側面に光の供給を受けて上部面に出射する。このとき、光源５２０から距離が近い地点から遠い地点に至るまで光が均一に分布されるようにするために、導光板５１０の厚さを、光源５２０と隣接した部分が最も厚く、光源５２０から遠くなるほど次第に薄くする。このとき、導光板５１０の上部面は液晶表示パネル３００と平行であり、導光板５１０の下部面は上部面と傾斜を有するように形成される。
【００８７】
光学シート５４０は、導光板５１０から出た光の集光効率を上げ、光が全体的に均一な分布を有するようにする。このような光学シート５４０は、複数の多様なシートで形成することができ、例えば、第１拡散シート５４２、第１プリズムシート５４４、第２プリズムシート５４６、及び第２拡散シート５４８を含むようにしてもよい。
【００８８】
液晶表示パネル３００は、第１基板１００及び第２基板２００が互いに対向して合わせて形成され、第１基板１００と第２基板２００との間には液晶層が形成されている。図では省略しているが、第１基板１００の上には複数のゲート線及びデータ線、これらと接続される薄膜トランジスタが形成されている。また、ゲート線から印加される信号によって薄膜トランジスタがターン・オンすると、データ線から信号が印加される画素電極が形成されている。第１基板１００または第２基板２００の上には共通電極を形成するようにし、画素電極と共通電極との間に電界が形成されて、液晶層の液晶分子の配向を制御する。これによって、バックライトアセンブリ５００から入射した光を制御して映像を表示する。
【００８９】
以上、本発明の好ましい実施例について詳細に説明したが、本発明の権利範囲はこれに限定されず、特許請求の範囲で定義する本発明の基本概念を利用した当業者の種々の変形及び改良形態も本発明の権利範囲に属するものである。
【符号の説明】
【００９０】
３００  液晶表示パネル
３１０  トップシャシー
３２０  上部モールドフレーム
３３０  下部モールドフレーム
３４０  ボトムシャシー
５００  バックライトアセンブリ
５１０  導光板
５１２  集光パターン
５２０  光源
５２２  プリント回路基板
５３２  第１発光部材
５３４  第２発光部材
５６２  第１部分
５６４  第２部分
５６６  接続部
５７２  第１突出部
５７４  第２突出部
５７６  第１空間
５７８  第２空間
５８２  第１配線接続部材
５８４  第２配線接続部材
５８６  突出端子
５８７  溝
５８８  補助接続部材
５９２  第１配線
５９４  第２配線
【図１】
2013073935.tif 000003
【図２】
2013073935.tif 000004
【図３】
2013073935.tif 000005
【図４】
2013073935.tif 000006
【図５】
2013073935.tif 000007
【図６】
2013073935.tif 000008
【図７】
2013073935.tif 000009
【図８】
2013073935.tif 000010
【図９】
2013073935.tif 000011
【図１０】
2013073935.tif 000012
【図１１】
2013073935.tif 000013